(57)【要約】【課題】丈夫で破損しにくく、実用的な効果に優れている自転車かごを提供する。【解決手段】硬質の細い棒状のフレーム１からなり、底部にネット面がある。篭目となる樹脂製の材料２が縦に整然とフレーム１に並べられ、フレーム１が共に覆われ、篭目となる樹脂製の材料２が交互に上下に配列する方式で編みこまれて、縦の篭目となる樹脂製の材料２と結合されることで、自転車かごが完成する。完成後の自転車かごは、自転車に取り付けられて物を入れる機能を果たし、見た目が美しく、丈夫で破損しにくく、取り外された後にはリサイクルが可能である。また、底部がネット面になっていることで、かご内の空間にごみやほこりがあっても、すぐに網の目から出て行くため、水分が吸着して、汚物が残留することがない。【選択図】図３
0003124892.tif 000002
【実用新案登録請求の範囲】
【請求項１】
硬質の細い棒状のフレームからなり、底部にネット面があり、ネット面は篭目となる樹脂製の材料によって縦方向へフレームに並べられ、フレームが共に覆われ、篭目となる樹脂製の材料によって交互に上下に配列する方式で編みこまれて、縦の篭目となる樹脂製の材料と結合されることにより形成され、
自転車に取り付けられて物を格納可能であり、見た目が美しく、丈夫で破損しにくく、取り外された後にはリサイクルが可能であり、底部がネット面になっていることにより、内部の空間にごみやほこりがあっても、すぐに網の目から出て行くため、水分が吸着して、汚物が残留することがないという実用的な効果に優れていることを特徴とする自転車かご。
【考案の詳細な説明】
【技術分野】
【０００１】
本考案は、自転車かごに関する。本考案の自転車かごは、樹脂製の材質によって縦と横方向に篭目を編んで、硬質の細い棒状のフレームに結合させている。
したがって、美観に優れ、丈夫で破損しにくく、取り外した後にはリサイクルが可能であるという特長を持つ。
【背景技術】
【０００２】
現在、市場に出回っている自転車用のかごは、硬質の細い棒状の材料を溶接してから、カラフルに塗装して仕上げている。このような自転車かごは、見た目はカラフルできれいだが、一定期間使用していると、塗装が落ちて、硬質の細い部分が露出する外、雨に打たれると、サビてくるため、見た目にもきたなく、かごに入れた物に汚れが付着することも考えられる。さらに、このタイプの硬質の細い部分からなる自転車かごは、重いという欠点がある。
【０００３】
上述の欠点を解決するため、天然の籐で編んだ自転車かごが開発された。このタイプの自転車かごは、軽く、サビることもない。しかしながら、このタイプの自転車かごは、天然の籐からできているため、長い間日光に当たり、雨に晒されると、天然の籐が水分を吸収し、太陽の光を浴びて乾燥されることがないまま、自転車置き場に置かれただけの場合、まもなくカビが発生する。一旦、カビが発生すると、洗っても汚れが取れず、自転車かごの表面にカビの跡が残り、自転車かごの中に物を入れるのがためらわれるようになる。こうなると、自転車かごの本来の目的である、物を入れるという機能が果たせなくなる。さらに、このような自転車かごは、腐乱して破損しやすく、カビやサビによって破損しないように定期的に買い換える必要がある。また、自転車かごの底面が天然の籐を編んだ密集した状態であるため、上述のように、水分が吸着してカビが発生する外、ごみがかご内のすきまに入り込んだ場合、取り出しにくいという欠点もある。
【考案の開示】
【考案が解決しようとする課題】
【０００４】
そこで、本考案の目的は、丈夫で破損しにくく、実用的な効果に優れている自転車かごを提供することにある。
【課題を解決するための手段】
【０００５】
本考案の自転車かごは、硬質の細い棒状のフレームがあり、底部にネット面がある。さらに、樹脂製の材質でできた棒状の材料を縦にフレームに並べてから、樹脂製の棒状の材料を交互に上下に配列する方式で編みこんで、縦の樹脂製の材料と結合させることで、自転車に取り付けるかごを構成して、物を入れるという目的を果たすものである。このようにすることで、従来の天然の籐製のかごに見られる直射日光や雨に晒されてカビが発生するという状況を改善する。また、見た目も美しく、丈夫で破損しにくく、取り外した時にリサイクルが可能である上、底部がネット状であることから、かご内の部分のごみやほこりを簡単に取り除けると同時に、水分が吸収されたままになるということがない。
【考案を実施するための最良の形態】
【０００６】
図１、図２及び図３を参照する。本考案の一実施例による自転車かごは、硬質の細い棒状のフレーム１からなり、底部ネット面１Ａがある。そして、篭目となる樹脂製の材料２によって縦に整然とフレーム１に（図２を参照）並べられる。さらに、フレーム１が共に覆われる。そして、篭目となる樹脂製の材料２によって交互に上下に配列する方式で編みこんで、縦の篭目となる樹脂製の材料２と結合させることで、自転車かご１’が完成する。これは、図３を参照する。このようにして、完成後の自転車かご１’は、自転車に取り付けられて物を入れる機能を果たす。
【０００７】
完成後の自転車かご１’は、硬質の細い棒状のフレーム１によって内部空間の形態を固定するため、変形して中に物を入れる空間が小さくなるということがない。さらに、縦と横の篭目となる樹脂製の材料２によって編み込み、フレーム１を覆って、物を入れる空間を形成する。さらに、篭目となる樹脂製の材料２で交互に上下に配列する方式で編み込む形態を取るため、非常に丈夫になる。ここで重要なのは、樹脂製の材料でできているという点である。このため、従来の天然の籐製の材料のように、直射日光や雨に晒されてカビが発生するということがなく、美観を損ねることがなく、破損することもない。さらに、この自転車かご１’のフレーム１の硬質で細い材質と周囲の縦と横の篭目となる樹脂製の材料２は、破損した場合に、別々にリサイクルが可能である。また、自転車かご１’の底部には底部ネット面１Ａがあり、かご内の空間にごみやほこりがあっても、すぐに網の目から出て行くため、水分が吸着して、汚物が残留することがない。
【０００８】
さらに、フレーム１は、デザイン的にいろいろな変化が可能で、縦と横の篭目となる樹脂製の材料２をフレーム１に組み合わせて、編み込んで成型する（図４を参照）。このように、本実施例の自転車かごは、樹脂製の材料によってかごの周囲が形成されているので、大量生産が可能で、品質が一定する。したがって、従来の天然の籐製かごのように、材料の調達が困難で、太さが一定せず、水分が吸着するといった問題が発生せず、実用性が高い。
【０００９】
（考案の効果）
本考案の自転車かごは、硬質の細い棒状のフレームがあり、底部にネット面がある。さらに、樹脂製の材質でできた棒状の材料を縦にフレームに並べてから、樹脂製の棒状の材料を交互に上下に配列する方式で編みこんで、縦の樹脂製の材料と結合させることで、自転車に取り付けるかごを構成して、物を入れるという目的を果たすものである。このようにすることで、見た目が美しく、丈夫で破損しにくいという効果がある。
【００１０】
また、本考案の自転車かごは、フレーム部分の硬質の細い棒状部分と周囲の縦と横の樹脂製の篭目部分を回収時に取り外して分解でき、それぞれリサイクルが可能であるという効果がある。
さらに、本考案の自転車かごは、底部がネット面になっているため、かご内のごみやほこりが簡単に取り除けると同時に、水分が吸着したままになるということがない。
【図面の簡単な説明】
【００１１】
【図１】本考案の一実施例による自転車かごの成型前の状態を示す斜視図である。
【図２】本考案の一実施例による自転車かごの成型前の状態を示す斜視図である。
【図３】本考案の一実施例による自転車かごを示す斜視図である。
【図４】本考案の一実施例による自転車かごの別のデザインを示す斜視図である。
【符号の説明】
【００１２】
１  フレーム、１Ａ  底部ネット面、１’  自転車かご、２  樹脂製の篭目となる材料
【図１】
0003124892.tif 000003
【図２】
0003124892.tif 000004
【図３】
0003124892.tif 000005
【図４】
0003124892.tif 000006